(57)【要約】      （修正有）【課題】液噴出器の肩パーツに、両方のノズルヘッド頂壁を覆う押さえ板を廻動自在に取付け、二液混合噴出と一液選択噴出を確実に切換えられるようにした液噴出器を提供すること。【解決手段】容器本体Ａ１と該容器本体に装着され噴出ノズル９を具えたノズルヘッドＡ３とを具備した一対の噴出容器Ａを組合せ、肩パーツＣに装着した液噴出器であって、肩パーツＣは、両方のノズルヘッド頂壁７を押し下げ可能とした押え板Ｄを廻動自在として取着していることを特徴とする。【選択図】図１
2005162222.tif 000002
【特許請求の範囲】
【請求項１】
容器本体と該容器本体に装着され噴出ノズルを具えたノズルヘッドとを具備した一対の噴出容器を組合せ、肩パーツに装着した液噴出器であって、
肩パーツは、両方のノズルヘッド頂壁を押し下げ可能とした押え板を廻動自在として取着していることを特徴とする液噴出器。
【請求項２】
肩パーツは、頂壁と側周壁からなり、
頂壁には、一対の噴出容器の挿通口が穿孔され、両挿通口の中間に押え板を廻動自在に取着した支持板が立設されていることを特徴とする請求項１記載の液噴出器。
【請求項３】
ノズルヘッドの側周壁上端部に切欠き部が設けられ、
押え板が切欠き部に係合し、噴出ノズルの方向を規制する突条を突設していることを特徴とする請求項１、２記載の液噴出器
【発明の詳細な説明】
【技術分野】
【０００１】
本発明は、二液混合噴出と、一液選択噴出を可能とした液噴出器に関するものである。
【背景技術】
【０００２】
化粧料、毛染液等の二液を、所要に応じて単独、または混合して噴出できるようにした噴出容器において、ステムの上端に押下げヘッドを取着した二つの容器を一体に保持し、双方の押下げヘッドの間に、両方の押下げヘッドの押上げ面に係合する押下げ板を装着し、いずれかの押下げヘッドを押下げることによって一方の容器から所望する内容液を噴出させ、押下げ板を押下げることによって両方の容器から内容液を噴出混合するようにした二液混合兼一液選択噴出容器は、従来より知られている（例えば特許文献１参照）。
【特許文献１】特開２００２−５９９８１
【発明の開示】
【発明が解決しようとする課題】
【０００３】
しかしながら、上記従来の噴出容器では、押下げ板の面積が広くないため、二液を混合噴出するときに、押下げ板から手指がずれたり、離れてしまったりするおそれがあった。
【０００４】
本発明は、上記の事情を考慮し、液噴出器の肩パーツに、両方のノズルヘッド頂壁を覆う押さえ板を廻動自在に取付け、二液混合噴出と一液選択噴出を確実に切換えられるようにした液噴出器を提供することを目的とする。
【課題を解決するための手段】
【０００５】
本発明は、上記の課題を解決するため、液噴出器として、容器本体と該容器本体に装着され噴出ノズルを具えたノズルヘッドとを具備した一対の噴出容器を組合せ、肩パーツに装着した液噴出器であって、肩パーツは、両方のノズルヘッド頂壁を押し下げ可能とした押え板を廻動自在として取着していることを特徴とする構成を採用する。
【０００６】
肩パーツの実施形態として、肩パーツは、頂壁と側周壁からなり、頂壁には、一対の噴出容器の挿通口が穿孔され、両挿通口の中間に押え板を廻動自在に取着した支持板が立設されていることを特徴とする構成を採用する。
【０００７】
噴出ノズルの噴出方向を規制するために、ノズルヘッドの側周壁上端部に切欠き部が設けられ、押え板が切欠き部に係合し、噴出ノズルの方向を規制する突条を突設していることを特徴とする構成を採用する。
【発明の効果】
【０００８】
液噴出器の肩パーツに押え板を廻動自在に取り付け、双方のノズルヘッドを連結することと、ノズルヘッドの連結を切り離すことが明白に区別できるようにしたので、双方のノズルヘッドを同時に押下げて二液を噴出すること、および一方のノズルヘッドを押下げ、一液を選択して噴出することを確実に切換えられるようになった。
【０００９】
また、噴出ノズルの方向も、ノズルヘッドを廻動することにより自在に変えることができ、また、押え板により双方のノズルヘッドを連結した際には一定の方向に固定することもできるので、双方のノズルヘッドを同時に押下げて二液を噴出すること、および一方のノズルヘッドを押下げ、所望の方向に一液を選択して噴出することを、確実に切換えられるようになった。
【発明を実施するための最良の形態】
【００１０】
次に、本発明の液噴出器について、図面を参照して説明する。
図１、２において、Ａは、容器本体Ａ１と該容器本体Ａ１に取付キャップＡ２を介して取着され、上端にノズルヘッドＡ３を具えたポンプとからなる噴出容器、Ｂは一対の噴出容器Ａを収納するケース本体、Ｃは肩パーツ、Ｄは肩パーツＣに取着された押え板、Ｅはオーバーキャップである。
ケース本体Ｂ、肩パーツＣ、オーバーキャップＥによって外ケースが構成されている。
【００１１】
容器本体Ａ１は、口部１と肩部、胴部２と底部３とからなり、口部１外周にはねじが螺設され、胴部２の横断面は円形状となっている。
【００１２】
取付キャップＡ２は、側周壁４と上壁５とからなり、上壁５には、ノズルヘッドＡ３を案内するための案内筒６が立設されている。
【００１３】
容器本体Ａ１の口部１には、取付キャップＡ２を介してポンプが取着されており、ポンプのステムの上端には、ノズルヘッドＡ３が取着されている。
【００１４】
ノズルヘッドＡ３は、頂壁７と側周壁８を具えており、側周壁８の上部には、噴出ノズル９が突設されている。
また、側周壁８の上端部には、噴出ノズル９と平行に切欠き部１０が設けられている。
【００１５】
ポンプは、ノズルヘッドＡ３を押下げることによって一定量の内容液を吸い上げ、噴出ノズル９から噴出する公知のものでよく、例えば、内容液中に吸い上げパイプを挿入したもの、或いは内容液の底に摺動板を配設したもの、その他のものであってもよい。
【００１６】
ケース本体Ｂは、側周壁１１と底壁１２とからなり、底壁１２には、一対の容器本体Ａ１を収納するための位置決め部材１３が底壁１２上に配設されている。
側周壁１１の上端部は縮径され、膨出部を設けた嵌合部１４となっている。
【００１７】
図１、２、３に示すように、肩パーツＣは、容器本体Ａ１と取付キャップＡ２とを覆う頂壁２１と、側周壁２２とからなっている。
頂壁２１には、噴出容器Ａの収納時に、取付キャップＡ２の案内筒６を突出させる二つの挿通口２３が設けられている。 
頂壁２１の中央部に、押え板Ｄを取着するための一対の支持板２４が設けられ、それぞれの支持板２４ａ，２４ｂの上端部付近に軸受孔２５a，bが穿孔されている。
【００１８】
側周壁２２の上端部は縮径され、膨出部を設けた上部嵌合部２６となっており、側周壁２２内側下端部には、前記のケース本体Ｂ上端の嵌合部１４に嵌合する下部嵌合部２７が設けられている。
【００１９】
押え板Ｄは、頂壁３１と該頂壁３１裏面にノズルヘッドＡ３の切欠き部１０に接合してノズル方向を規制するようにハ字状の突条３２が設けられ、また、中央部には、下端部に長孔の軸受孔３３を穿孔した連結部３４が設けられている。
軸受孔２５a、３３、２５ｂを通じて軸ピン３５が嵌挿され、押え板Ｄは、肩パーツＣに廻動自在に枢着されている。
押え板Ｄは、図４（ａ）に示すように、ノズルヘッドに係合する上方位置と、図５に示すように、ノズルヘッドから外れる下方位置との間で廻動可能になっている。
【００２０】
図１に示すように、オーバーキャップＥは、頂壁３６と側周壁３７とからなっており、側周壁３７の内側下端には、肩パーツＣの側周壁２２の上部嵌合部２６に嵌合する嵌合部３８が設けられている。
【００２１】
次に、本発明の液噴出器の使用態様と作用効果について説明する。
噴出容器Ａには、化粧料、毛染料等、二液を混合して使用するために、所要の内容液がそれぞれの容器本体Ａ１に収納され、次いで、ポンプが、取付キャップＡ２により容器本体Ａ１の口部１に取着される。
次いで、ノズルヘッドＡ３をポンプのステムに取着して噴出容器Ａが組立てられる。
【００２２】
次に、肩パーツＣの押え板Ｄの支持板２４と押え板Ｄの連結部３４を、軸ピン３５を介して連結する。
【００２３】
次に、一対の噴出容器Ａを、それぞれケース本体Ｂの位置決め部材１３を用いて収納し、その上から前記の押え板Ｄと連結した肩パーツＣを被嵌し、外ケースとする。
【００２４】
最後に、オーバーキャップＥが被嵌され、液噴出器の組立てが完了する。
その際には、容器本体Ａ１の底部３は、ケース本体Ｂの位置決め部材１３により位置決めされ、底壁１２上に載置され、取付キャップＡ２の案内筒６は、肩パーツＣの頂壁２１の挿通口２３により接合されることから、それぞれの噴出容器Ａは、外ケースに固定される。
【００２５】
液噴出器の使用にあたっては、オーバーキャップＥを開くと、双方のノズルヘッドＡ３を押え板Ｄで容器正面中側に向け連結した一対の噴出容器Ａが露呈される。
そこで、図４に示すように、押え板Ｄを上から押圧すると、押え板Ｄは、軸受孔３３の上端３３aから下端３３bまでの間、双方のノズルヘッドＡ３が押下げられ、二つの噴出ノズル９から内容液が噴出される。
噴出された内容液を、噴出ノズル９の前方で受け皿や手のひら等で受け、混合した上で所要個所に塗布することができる。
【００２６】
次に、一液のみを選択して噴出させるときには、押え板Ｄを、図５、６に示すように、軸ピン３５中心に容器の後側に廻動させると、双方のノズルヘッドＡ３の連結を外すことができる。
そこで、所望のノズルヘッドＡ３を押下げると、噴出ノズル９から所望する内容液を噴出させることができる。
その際、ノズルヘッドＡ３は、噴出ノズル９の方向を水平面上で廻動可能なので、容器正面の他に側面、後面など任意の方向に変えることもできる。
【００２７】
最後に、液注出容器をしまうとき、或いは一液選択噴出から二液混合噴出に切換えるときには、噴出ノズルを正面に向け、押え板Ｄを上方に廻動させると、押え板Ｄの突条３２が、ノズルヘッドの切欠き部１０に係合して、噴出ノズルの方向を、図２に示すように、正面の所定方向に変更する。
【００２８】
したがって、押え板Ｄを廻動操作することによって、二液混合噴出と、一液選択噴出を確実に切換えることができる。
【００２９】
前記実施形態では、容器本体、ノズルヘッド、ケース本体、肩パーツ等の横断面形状について特定の形状を示したが、角部を丸めた四角形、種々の形状の楕円形等を採用することができ、実施形態に限定されない。
【００３０】
また、実施形態では、外ケースを、ケース本体、肩パーツ、オーバーキャップで構成したが、一対の噴出容器を支持台の上に載置し、容器本体の肩部、または取付キャップに肩パーツを装着したもの、或いは取付キャップに肩パーツを装着しただけのものであってもよく、外ケースは実施形態のものに限定されない。
【００３１】
また、実施形態では、肩パーツの支持板と押え板の連結部とを軸ピンを介して廻動自在に枢着されていたが、二枚の肩パーツの支持板の内側に支持突起を設け、その間に押え板の連結部の長孔の軸受孔を嵌入し廻動自在に枢着するもの、或いは二枚の支持板に長孔の軸受孔を配し、連結部両面に軸ピンの代わりに支持突起を設け、支持板の間に嵌入させ廻動自在に枢着されたものであってもよく、支持板と連結部の連結は実施形態のものに限らない。
【００３２】
また、実施形態では、噴出ノズルから内容液を噴出するようにしたが、ノズルヘッドに噴霧ノズルを取付け、噴霧するようにしてもよい。
【産業上の利用可能性】
【００３３】
肩パーツに押え板を廻動可能に取着し、双方のノズルヘッドと連結、切離自在とし、ノズルヘッドの同時押下げ、選択押下げを可能としたから、化粧料、毛染料等の二液混合、一液選択噴出を確実に切換えることができ、二液混合噴出器の利用範囲を広げ、化粧料ばかりでなく、食品、その他の分野でも利用できるようになった。
【図面の簡単な説明】
【００３４】
【図１】本発明実施形態の液噴出器の一部断面正面図である。
【図２】オーバーキャップを開蓋したときの上面図である。
【図３】肩パーツと押え板の斜視図である。
【図４】二液噴出時の押え板押下げ時の説明図で、（ａ）は押え板押圧前、（ｂ）は押え板を押下げた時の図である。
【図５】押え板の下方廻動時の側面図である。
【図６】一液噴出時の説明図である。
【符号の説明】
【００３５】
Ａ                噴出容器
Ａ１              容器本体
Ａ２              取付キャップ
Ａ３              ノズルヘッド
Ｂ                ケース本体
Ｃ                肩パーツ       
Ｄ                押え板
Ｅ                オーバーキャップ
１                口部
２                胴部
３                底部
４                側周壁
５                上壁
６                案内筒
７                頂壁
８                側周壁
９                噴出ノズル
１０              切欠き部
１１              側周壁
１２              底壁       
１３              位置決め部材
１４              嵌合部
２１              頂壁
２２              側周壁
２３              挿通口
２４ａ，ｂ        支持板   
２５ａ，ｂ        軸受孔
２６              上部嵌合部
２７              下部嵌合部
３１              頂壁
３２              突条
３３              軸受孔
３３ａ            上端
３３ｂ            下端
３４              連結部
３５              軸ピン
３６              頂壁
３７              側周壁
３８              嵌合部
【図１】
2005162222.tif 000003
【図２】
2005162222.tif 000004
【図３】
2005162222.tif 000005
【図４】
2005162222.tif 000006
【図５】
2005162222.tif 000007
【図６】
2005162222.tif 000008